(57)【要約】【課題】撮影したＲＡＷ画像データによる画像確認を迅速に行うことができるデジタルカメラを提供する。【解決手段】デジタルカメラは、第１〜第３の記録モードを有する。第１の記録モードは、ＲＡＷ画像データのみを記録するモードである。第２の記録モードは、再生用画像データのみを圧縮して記録するモードである。第３の記録モードは、基本的にＲＡＷ画像データと再生用画像データの両方を、記録するモードである。このモードにおいては、連写モード時及び速写モード時に再生用画像データの記録が一部省略される。【選択図】図３
2005094298.tif 000002
【特許請求の範囲】
【請求項１】
撮影手段によって撮影した撮影画像に対応する画像データを記録媒体に記録するデジタルカメラであって、
前記撮像手段の出力信号そのままの画像データであるＲＡＷ画像データのみを、撮影した撮影画像に対応する画像データとして記録する第１の記録モードと、
前記ＲＡＷ画像データに基づいて生成した再生用画像データのみを、撮影した撮影画像に対応する画像データとして記録する第２の記録モードと、
前記ＲＡＷ画像データと再生用画像データとの両方を、撮影した撮影画像に対応する画像データとして記録する第３の記録モードを有するデジタルカメラ。
【請求項２】
請求項１記載のデジタルカメラであって、
前記再生用画像データは、圧縮処理が施されたデータであるデジタルカメラ。
【請求項３】
請求項１又は２記載のデジタルカメラであって、
前記第３の記録モード時に、少なくとも一部の撮影画像について前記再生用画像データの記録を省略可能な状態となる撮影間隔短縮モードを有するデジタルカメラ。
【請求項４】
請求項３記載のデジタルカメラであって、
レリーズスイッチのオン状態の継続時に連続して撮影する連写モード時に、前記撮影間隔短縮モードとなるデジタルカメラ。
【請求項５】
請求項４記載のデジタルカメラであって、
前記撮影間隔短縮モード時には、連続して撮影された画像の内の最終画像を除き、前記再生用画像データの生成を省略するデジタルカメラ。
【請求項６】
請求項３記載のデジタルカメラであって、
レリーズスイッチのオン操作可能間隔を最も短く制御する速写モード時に、前記撮影間隔短縮モードとなるデジタルカメラ。
【請求項７】
請求項６記載のデジタルカメラであって、
前記撮影間隔短縮モード時には、レリーズスイッチのオン操作間隔に応じて前記再生用画像データの生成を省略するデジタルカメラ。
【請求項８】
撮像手段の出力信号そのままの画像データであるＲＡＷ画像データと前記ＲＡＷ画像データに基づいて生成した再生用画像データの両方を、撮影した撮影画像に対応する画像データとして記録するモードを有するデジタルカメラにおける前記モード時の画像データ記録方法であって、
レリーズスイッチの操作状態に応じて１又は複数の前記ＲＡＷ画像データを取得し、保持するステップと、
設定された撮影モード及び前記レリーズスイッチの操作状態に応じて、前記保持したＲＡＷ画像データの全て又は一部に基づく再生用画像データを生成するステップと、
前記保持したＲＡＷ画像データ毎に、ＲＡＷ画像データのみを含む画像ファイル又はＲＡＷ画像データと再生用画像データを含む画像ファイルを生成し、記録するステップを含む画像データ記録方法。
【発明の詳細な説明】
【技術分野】
【０００１】
本発明は、撮影手段によって撮影した撮影画像に対応する画像データを記録媒体に記録するデジタルカメラに関し、特に、撮像手段の出力信号そのままの画像データ（以下、「ＲＡＷ画像データ」と記述する。）を出力可能なデジタルカメラ、及びデジタルカメラの画像データ記録方法に関する。
【背景技術】
【０００２】
デジタルカメラは、ＣＣＤ撮像素子等を含む撮像部からの撮像信号に基づいたデジタル画像データを出力するもので、近年、その普及は目覚しいものがある。デジタルカメラの１つの特徴は、撮影前に被写体の画像を連続表示（以下、「スルー画像表示」と記述する場合もある。）して、撮影される画像を確認した上で撮影したり、撮影済の画像を再生表示して確認することができることである。また、デジタル画像データを外部に取り出し、外部表示装置に表示したり、印刷に利用することも簡単に行うことができる。そのため、出力されるデジタル画像データは、表示装置や印刷装置での画像再生に適した形態の画像データ（以下、「再生用画像データ」と記述する。）が採用されることが多い。再生用画像データとしては、例えば、輝度Ｙ信号、色差Ｒ−Ｙ信号、色差Ｂ−Ｙ信号の組み合わせや、ＲＧＢ信号の組み合わせ等が用いられている。また、再生用画像データは、一般にＪＰＥＧデータ等の圧縮データとして出力される。
【０００３】
また、他の特徴は、デジタルデータであるため、撮影後に広範囲の画像処理が可能なことである。すなわち、オフセット補正、ゲイン補正（ホワイトバランス補正）、階調補正（ガンマ補正）、輪郭補正、色相補正等の補正処理を施し、利用者の好みに合った画像を手軽に得ることができる。撮影後に画像処理を施す場合、撮像部の出力信号そのままのデジタル画像データであるＲＡＷ画像データを利用すると、撮像素子の画素構成、特性等を生かした画像を得ることができる。また、ＲＡＷ画像データは、一般に画素当たりの出力ビット数も多く、圧縮データではないので画像劣化のない処理が可能である。
【０００４】
そのため、デジタルカメラには、ＲＡＷ画像データの出力機能が付加され、再生用画像データを出力するか、ＲＡＷ画像データを出力するかを選択可能なものも提案されている（例えば、特許文献１、特許文献２参照）。
【０００５】
【特許文献１】特開平１１−２６１９３３号公報
【特許文献２】特開２００１−２２３９７９号公報
【発明の開示】
【発明が解決しようとする課題】
【０００６】
しかし、ＲＡＷ画像データは撮像素子の種類に依存する形式の点順次データであるため、ＲＡＷ画像データに基づく画像を表示するには、所定の再生パラメータに基づいて画像処理を行って、ＲＧＢデータ又はＹ−ＣｒＣｂデータ等の再生用画像データを生成する必要がある。したがって、撮影後に撮影済の画像を再生表示して確認する（撮影レビュー）のに時間がかかるという問題がある。
【０００７】
本発明は、上記事情に鑑みなされたもので、撮影したＲＡＷ画像データによる画像確認を迅速に行うことができるデジタルカメラ、及びデジタルカメラの画像データ記録方法を提供することを目的とするものである。また、撮影間隔を長くすることなく撮影したＲＡＷ画像データによる画像確認を迅速に行うことができるデジタルカメラを提供することを目的とするものである。
【課題を解決するための手段】
【０００８】
本発明のデジタルカメラは、撮影手段によって撮影した撮影画像に対応する画像データを記録媒体に記録するものであって、前記撮像手段の出力信号そのままの画像データであるＲＡＷ画像データのみを、撮影した撮影画像に対応する画像データとして記録する第１の記録モードと、前記ＲＡＷ画像データに基づいて生成した再生用画像データのみを、撮影した撮影画像に対応する画像データとして記録する第２の記録モードと、前記ＲＡＷ画像データと再生用画像データとの両方を、撮影した撮影画像に対応する画像データとして記録する第３の記録モードを有するものである。
【０００９】
このデジタルカメラによれば、第１の記録モード及び第３の記録モードにおいては、撮影記録後の記録画像の確認を迅速に行うことができる。第２の記録モード及び第３の記録モードにおいては、記録後のＲＡＷ画像データに基づき、撮像素子の画素構成、特性等を生かした画像処理を行うことができる。また、ＲＡＷ画像データは、一般に画素当たりの出力ビット数も多く、圧縮データではないので画像劣化のない処理が可能である。前記記録媒体として、前記デジタルカメラと接続されるパソコンの記憶装置等を利用し、再生用画像データの生成及び記録処理をパソコンで行うと、デジタルカメラの負担を軽減することができる。
【００１０】
本発明のデジタルカメラにおける前記再生用画像データは、圧縮処理が施されたデータを含んでいてもよい。
【００１１】
本発明のデジタルカメラは、前記第３の記録モード時に、少なくとも一部の撮影画像について前記再生用画像データの記録を省略可能な状態となる撮影間隔短縮モードを有するものを含む。
【００１２】
このような処理を行うモードを設けると、利用者のＲＡＷ画像データが必要であるが撮影間隔も短くしたいという要求に応えることができる。すなわち、このモードに設定しても、最低限最後の撮影画像については再生用画像データの生成及び記録が行われ、多くの場合、ほぼ同一の被写体の撮影に利用されると想定されるので、迅速な撮影画像の確認に大きな影響はない。
【００１３】
本発明のデジタルカメラは、レリーズスイッチのオン状態の継続時に連続して撮影する連写モード時に、前記撮影間隔短縮モードとなるものを含む。そして、その場合に、連続して撮影された画像の内の最終画像を除き、前記再生用画像データの生成を省略するものを含む。
【００１４】
本発明のデジタルカメラは、レリーズスイッチのオン操作可能間隔を最も短く制御する速写モード時に、前記撮影間隔短縮モードとなるものを含む。そして、その場合に、レリーズスイッチのオン操作間隔に応じて前記再生用画像データの生成を省略するものを含む。
【００１５】
本発明の画像データ記録方法は、撮像手段の出力信号そのままの画像データであるＲＡＷ画像データと前記ＲＡＷ画像データに基づいて生成した再生用画像データの両方を、撮影した撮影画像に対応する画像データとして記録するモードを有するデジタルカメラにおける前記モード時の画像データ記録方法であって、レリーズスイッチの操作状態に応じて１又は複数の前記ＲＡＷ画像データを取得し、保持するステップと、設定された撮影モード及び前記レリーズスイッチの操作状態に応じて、前記保持したＲＡＷ画像データの全て又は一部に基づく再生用画像データを生成するステップと、前記保持したＲＡＷ画像データ毎に、ＲＡＷ画像データのみを含む画像ファイル又はＲＡＷ画像データと再生用画像データを含む画像ファイルを生成し、記録するステップを含むものである。
【発明の効果】
【００１６】
以上の説明から明らかなように、本発明によれば、撮影したＲＡＷ画像データによる画像確認を迅速に行うことができるデジタルカメラを提供することができる。また、撮影間隔を長くすることなく撮影したＲＡＷ画像データによる画像確認を迅速に行うことができるデジタルカメラを提供することができる。
【発明を実施するための最良の形態】
【００１７】
以下、本発明の実施の形態について、図面を用いて説明する。図１は、本発明のデジタルカメラの概略構成を示す図である。図１のデジタルカメラは、レンズ部１、撮像デバイス２、及び駆動部３を含む撮像部、アナログ信号処理部４、Ａ／Ｄ変換部５、デジタル信号処理部６、出力用メモリ７、及び圧縮伸張処理部８を含む信号処理部、メディアインタフェース１０及び画像モニタ１１を含む出力部、モード切換えスイッチ、レリーズボタン等を含む操作部１２、並びにデジタルカメラ全体を制御するシステム制御部９を含んで構成される。
【００１８】
撮像部の構成は、従来のデジタルカメラと同じであるので簡単に説明する。レンズ部１を通った光は、ＣＣＤ等の撮像デバイス２の上に焦点を結び、撮影画像信号が取得される。撮像画像信号の取得に際しては、駆動部３を介してレンズ部１及び図示しない絞りの制御が行われる。撮像デバイス２は、レリーズボタン（図示せず）の操作によるレリーズスイッチ（図示せず）オンを契機として、所定のタイミングで、タイミングジェネレータ（図示せず）を含む駆動部３によって駆動され、撮影画像信号を出力する。
【００１９】
撮影画像信号は、アナログ信号処理部４によってアナログ信号処理された後、Ａ／Ｄ変換部５でデジタル信号に変換され、ＲＡＷ画像データとしてデジタル信号処理部６に送られる。デジタル信号処理部６では、操作部１２によって設定された動作モードに応じたデジタル信号処理を行い、得られた画像データは、出力用メモリ７に一時的に記憶される。
【００２０】
デジタル信号処理部６が行う処理には、ホワイトバランス調整、Ｙ／Ｃ処理、ガンマ補正処理等が含まれる。デジタル画像処理を経た画像データに基づく画像を、画像モニタ１１に表示する（スルー画像表示）場合は、出力用メモリ７の内容を読み出して画像モニタ１１に送られる。出力用メモリ７の画像データは、圧縮伸張処理部８で圧縮処理された後あるいは直接、メディアインタフェース１０を経て、図示しないメモリカード等の記録メディアに記録される。画像モニタ１１には、記録メディアの画像データに基づく画像も表示可能である。
【００２１】
システム制御部９は、撮影動作を含むデジタルカメラ全体の制御を行う。システム制御部９は、具体的には所定のプログラムによって動作するプロセッサを主体に構成され、内部にプログラム、動作に必要な各種データを記憶するメモリ、及びワークメモリを備える。
【００２２】
操作部１２は、デジタルカメラ使用時の各種操作を行うもので、撮影時の撮影方法、撮影条件、撮影レビュー機能のオンオフ及びメディアに対する記録モードの設定等を行う。操作部１２は、それぞれの機能に対応する操作部材を設けてもよいが、画像モニタ１１の表示と連動して操作部材を共用してもよい。
【００２３】
設定可能な撮影方法には、連写モードと速写モードが含まれる。連写モードは、レリーズスイッチがオンとなっている連続して撮影を行い、所定枚数の画像データ分の画像データを記録するモードである。記録する画像データは、レリーズオン後に撮影された所定枚数の画像データでもよいし、レリーズオンからオフに変化した時点での画像データまでの所定枚数の画像データでもよい。
【００２４】
速写モードは、レリーズスイッチオンで撮影動作を開始した後、次のレリーズスイッチオンで撮影動作を開始するまでの時間を最短とするモードである。このモードにおいては、撮影レビュー機能の設定にかかわらず、撮影直後の撮影画像の表示は省略される。
【００２５】
撮影レビュー機能は、撮影直後に撮影した画像データに基づく画像を自動的に表示する機能である。撮影レビュー機能による画像の表示には、再生用画像データが必要であるので、再生用画像データが記録されない場合は、機能オンと設定されていても撮影した画像データに基づく画像は表示されない。
【００２６】
設定される撮影条件には、シャッター速度、絞り値、ホワイトバランスの設定等が含まれる。
【００２７】
記録モードには、ＲＡＷ画像データのみを記録する第１の記録モード、再生用画像データのみを圧縮して記録する第２の記録モード、及びＲＡＷ画像データと圧縮された再生用画像データの両方を記録する第３の記録モードを含んでいる。
【００２８】
次に、図１に示すデジタルカメラの動作を説明する。図２は、デジタルカメラ全体の概略動作フローを示す図である。電源が投入されると、システム制御部９によって初期化処理が行われる（ステップ２０１）。初期化処理には、ワーク用内部メモリの初期化、記録メディア等の画像データを記録用メモリの着脱、残容量等の確認、各種フラグや制御変数を初期化等が含まれる。
【００２９】
次いで、設定された動作モードの確認が行われ、撮影モードと判断されると（ステップ２０２）、撮影処理を行う（ステップ２０３）。再生モードと判断されると（ステップ２０４）、記録メディアに記録された画像データに基づく再生処理を行う（ステップ２０５）。また、操作部１２から電源オフ操作を検出すると（ステップ２０６）、終了処理（ステップ２０７）を行って、電源をオフとする。再生モード時の再生処理（ステップ２０５）は、従来のものと同様であるので説明を省略する。
【００３０】
ステップ２０３に撮影処理は、操作部１２によって設定された撮影方法、撮影条件、撮影レビュー機能のオンオフ及びメディアに対する記録モード等によって、異なる手順で処理される。図３に、設定された記録モードと撮影方法に応じた処理内容の概略を示す。図３には、記録される画像データと、撮影レビュー機能オンの場合の撮影直後における撮影画像の確認表示処理について記載してある。
【００３１】
図１のデジタルカメラは、第１〜第３の記録モードを有する。第１の記録モードは、ＲＡＷ画像データ（図１では、単に「ＲＡＷ」と記述してある。）のみを、撮影した撮影画像に対応する画像データとして記録するモードである。このモードにおいては、撮影方法が連写モードでも速写モードでも、記録データは変更されない。また、撮影直後の撮影画像の確認表示（撮影レビュー）は、行われない。図４に、第１の記録モード時の画像ファイルのデータフォーマットの一例を示す。図４における画像処理パラメータは、ＲＡＷ画像データを利用した再生用画像データの生成に利用する撮影条件に応じたホワイトバランス、シャープネス等のデータである。
【００３２】
第２の記録モードは、ＲＡＷ画像データに基づいて生成した再生用画像データのみを、撮影した撮影画像に対応する画像データとして記録するモードである。再生用画像データとしては、圧縮された画像データであるＪＰＥＧデータ（図１では、単に「ＪＰＥＧ」と記述してある。）が利用される。ＪＰＥＧデータは一例であり、非圧縮の再生用画像データを利用してもよい。撮影直後の撮影画像の確認表示が行われるが、連写モードの場合は、最終記録画像のみが表示される。このモードの場合も、記録データは連写モードや速写モードとなっても変更されない。図５に、第２の記録モード時の画像ファイルのデータフォーマットの一例を示す。
【００３３】
第３の記録モードは、基本的にＲＡＷ画像データと再生用画像データの両方を、撮影した撮影画像に対応する画像データとして記録するモードである。このモードにおいては、連写モード時及び速写モード時に再生用画像データの記録が一部省略される。省略される条件及び省略データについては、後述する。撮影直後の撮影画像の確認表示は、ノーマルモード時と連写モード時に行われ、連写モードの場合は、最終記録画像のみが表示される。図６に、第３の記録モード時の画像ファイルのデータフォーマットの一例を示す。図６のおけるサムネイルデータは、省略してもよい。
【００３４】
続いて、撮影処理（図２のステップ２０３）の動作を説明する。第１の記録モード及び第２の記録モード時の動作は、従来のものと同様であるので、説明を省略する。また、第３の記録モード時でノーマルモードのときは、撮像部からの撮影画像信号に基づくＲＡＷ画像データを取得し、図４に示すようなフォーマットの画像ファイルを作成し、記録メディアに記録する。
【００３５】
図７に、第３の記録モード時であって、連写モード、再生レビュー機能オンに設定されている場合の撮影処理（撮影処理Ａ）の概略フローを示す。撮影処理は、基本的にスルー画像を表示し（ステップ７０１）、レリーズスイッチのオンを待っている（ステップ７０２）。その間、各種操作部の操作による撮影時の各種設定、ＡＥ、ＡＦ処理（具体的にはレリーズボタンの半押しの検出によって行う。）等が行われる。
【００３６】
レリーズスイッチがオンとなると、撮像部からの撮影画像信号に基づくＲＡＷ画像データを取得し（ステップ７０３）、一時的にメモリ７に保持する（ステップ７０５）。そして、ステップ７０５でレリーズスイッチがオンかどうかを判断し、オンの場合は、ステップ７０３及びステップ７０４の処理を繰り返す。連写可能枚数を超えた場合は、新しいＲＡＷ画像データの取得を制限したり（レリーズオン後に撮影された所定枚数を記録する場合）、保持した画像の内の古いものを書き換えたりして（レリーズオフに変化した時点での画像データまでの所定枚数の画像データを記録する場合）、保持する画像枚数を制限する。
【００３７】
ステップ７０５で、レリーズスイッチオフを判断すると、最後に取得したＲＡＷ画像データに基づき再生用画像データを生成する（ステップ７０６）。そして、一時保持したＲＡＷ画像データ毎の画像ファイルを生成し、記録メディアに記録する（ステップ７０７）。ここで、記録される画像データのフォーマットは、最後に取得されたＲＡＷ画像データについては、図６に示すフォーマットであり、その他の画像データについては、図４に示すフォーマットとなる。
【００３８】
このように、連写モードでレリーズスイッチが連続オン操作されると、連続した撮影された画像のＲＡＷ画像データが記録され、最後に取得された画像データのみ、ＪＰＥＧデータが付加された画像ファイルとして記録される。このモードでも、レリーズスイッチオンの後、すぐにオフとすると、１枚分のＲＡＷ画像データが取得されるので、ノーマルモードと同様の画像ファイルが生成され、記録される。
【００３９】
図８に、第３の記録モード時であって、速写モード、再生レビュー機能オンに設定されている場合の撮影処理（撮影処理Ｂ）の概略フローを示す。ステップ８０１、ステップ８０２、ステップ８０３は、図７のステップ７０１、ステップ７０２、ステップ７０３と同様である。
【００４０】
ステップ８０４では、取得したＲＡＷ画像データに基づく画像ファイルを生成し、記録メディアに記録する。このときのファイルフォーマットは、図４に示すものである。そして、ステップ８０５でレリーズスイッチの状態を判断し、オンの場合は、ステップ８０３及びステップ８０４の処理を繰り返す。したがって、ユーザの操作にしたがって、最も短い間隔で画像データが記録されることになる。
【００４１】
ステップ８０５でレリーズスイッチがオンと判断されなかった場合は、記録したＲＡＷ画像データに基づく再生用画像データの生成処理を行う（ステップ８０６）。この間、レリーズスイッチの状態が常に監視され、レリーズスイッチオンと判断されると（ステップ８０７）、ステップ８０３に戻る（図８では、便宜的にステップ８０６の後にステップ８０７を記載してある。）。
【００４２】
ステップ８０６における再生用データの生成が終了するまでレリーズスイッチがオフのままである場合（ステップ８０８で判断）は、生成した再生用画像データを記録した画像ファイルに付加する（ステップ８０９）。この場合、記録される画像ファイルは、図６に示されるフォーマットとなる。再生用画像データは、既に記録された画像ファイルに付加するように記録してもよいが、改めて、図６のフォーマットの画像ファイルを作成して記録メディアに記録してもよい。
【００４３】
以上のような処理を行うと、ユーザがリーズスイッチを複数回オンにすると、その時間間隔が短い場合は、ＲＡＷ画像データのみが記録され、ある時間間隔以上となると、再生用画像データも付加記録される。
【００４４】
図７及び図８の説明から明らかなように、ＲＡＷ画像データと再生用画像データとをともに記録するモードであっても、撮影方法の設定及びユーザのレリーズスイッチの操作態様によって、再生用画像データの記録が省略されることになる。
【００４５】
以上の説明では、撮影画像データをメモリカード等の記録メディアに記録するものとして説明したが、撮影時にデジタルカメラとパーソナルコンピュータ（図示せず）とを接続しておき、パーソナルコンピュータによって、記録処理を行うこともできる。その場合の記録先は、パーソナルコンピュータの内蔵メモリでも接続した外部メモリでもよい。この場合、デジタルカメラからは常にＲＡＷ画像データのみを出力し、記録モードに応じて再生用画像データを生成して記録を行うことにより、デジタルカメラの処理負担を大幅に軽減させることができる。
【図面の簡単な説明】
【００４６】
【図１】本発明の実施の形態のデジタルカメラの概略構成を示す図
【図２】本発明の実施の形態のデジタルカメラ全体の概略動作フローを示す図
【図３】設定された記録モードと撮影方法に応じた処理内容の概略を示す図
【図４】第１の記録モード時のデータフォーマットの一例を示す図
【図５】第２の記録モード時のデータフォーマットの一例を示す図
【図６】第３の記録モード時のデータフォーマットの一例を示す図
【図７】第３の記録モード時であって、連写モード、再生レビュー機能オンに設定されている場合の撮影処理の概略フローを示す図
【図８】第３の記録モード時であって、速写モードに設定されている場合の撮影処理の概略フローを示す図
【符号の説明】
【００４７】
１・・・レンズ部
２・・・撮像デバイス
３・・・駆動部
４・・・アナログ信号処理部
５・・・Ａ／Ｄ変換部
６・・・デジタル信号処理部
７・・・出力用メモリ
８・・・圧縮伸張処理部
９・・・システム制御部
１０・・・メディアインタフェース
１１・・・画像モニタ
１２・・・操作部
【図１】
2005094298.tif 000003
【図２】
2005094298.tif 000004
【図３】
2005094298.tif 000005
【図４】
2005094298.tif 000006
【図５】
2005094298.tif 000007
【図６】
2005094298.tif 000008
【図７】
2005094298.tif 000009
【図８】
2005094298.tif 000010